(57)【特許請求の範囲】
【請求項１】
内障子、外障子をクレセント錠で施錠、解錠する建具であって、
前記外障子の召合せ框は、その室内側面よりも室内側に突出した内側突起を有し、
前記内障子の召合せ框に設けた召合せ気密材を、前記内側突起の室内側面に接して内障子の召合せ框の室外側面と外障子の召合せ框の室内側面との間を気密し、
前記外障子の召合せ框の内側突起に、その長手方向の一部分を切り欠きした切欠き部を設け、
前記クレセント錠のクレセント受は、召合せ框に取り付ける取付部と、前記クレセント錠のクレセントが係合する係止部を有し、その取付部を、前記外障子の召合せ框の室内側面に取付用ねじで固着することで、その係止部が前記切欠き部を通して外障子の召合せ框よりも面内方向に突出するように取り付け、
前記外障子の召合せ框に、前記クレセント受を覆うカバーを取り付け、
このカバーの面内方向の一部分で前記内側突起の切欠き部を閉塞し、このカバーの面内方向の一部分と内側突起の室内側面とに亘って前記召合せ気密材が接するようにしたことを特徴とする建具。
【請求項２】
前記クレセント受の板厚寸法は前記内側突起の突出寸法よりも小さく、
前記カバーの面内方向の一部分は、前記切欠き部に嵌まり合うと共に、前記クレセント受と対向し、かつその表面と内側突起の室内側面が面一となるようにし、
前記召合せ気密材が内側突起の室内側面とカバーの面内方向の一部分の表面に接するようにした請求項１記載の建具。
【請求項３】
前記カバーは、クレセント受の取付部と取付用ねじを覆うと共に、召合せ框に取り付け、取り外しできるように取り付けてある請求項１又は２記載の建具。
【請求項４】
前記外障子の召合せ框の室内側面の面内方向両側に内側突起、外側突起を備え、この各突起は相対向した取付用凹部をそれぞれ有し、
前記カバーは、クレセント受の取付部を覆うカバー部と、このカバー部の左右一側縁の上下に設けた取付片と、上下中間に設けた張出片と、前記カバー部の左右他側縁に設けた係合片を有し、
前記張出片が内側突起の切欠き部に嵌まり合うと共に、上下の取付片が内側突起の取付用凹部に挿入し、前記係合片が外側突起の取付用凹部に係合している請求項１〜３いずれか１項に記載の建具。
【請求項５】
前記カバーのカバー部の背面上下に、前記クレセント受の取付部の上下面に接する上突片、下突片を設けた請求項４記載の建具。
【請求項６】
内障子、外障子をクレセント錠で施錠、解錠する建具であって、
前記外障子の召合せ框に設けた召合せ気密材を、前記内障子の召合せ框の室外側面に接して内障子の召合せ框の室外側面と外障子の召合せ框の室内側面との間を気密し、
前記召合せ気密材に、その長手方向の一部分を切り欠きした切欠き部を設け、
前記クレセント錠のクレセント受は、召合せ框に取り付ける取付部と、前記クレセント錠のクレセントが係合する係止部を有し、その取付部を、前記外障子の召合せ框の室内側面に取付用ねじで固着することで、その係止部が前記切欠き部を通して外障子の召合せ框よりも面内方向に突出するように取り付け、
前記外障子の召合せ框に、前記クレセント受を覆うカバーを取り付け、
このカバーの面内方向の一部分に補助召合せ気密材を設け、この補助召合せ気密材で前記召合せ気密材の切欠き部を閉塞すると共に、その補助召合せ気密材が前記内障子の召合せ框の室外側面に接するようにしたことを特徴とする建具。
【発明の詳細な説明】
【技術分野】
【０００１】
本発明は、引き違いサッシ窓、片引きサッシ窓、上げ下げサッシ窓などのように、障子をクレセント錠で施錠するようにした建具に関する。
【背景技術】
【０００２】
従来、障子をクレセント錠で施錠するようにした建具は種々提案されている。
例えば、特許文献１に開示したように、枠体内に内障子と外障子を設け、その内障子の召合せ框に、クレセント錠のクレセントを取り付け、外障子の召合せ框に、クレセント錠のクレセント受を取り付け、前記内・外障子を閉じ位置とし、クレセントを回転操作してクレセント受に係合することで、内・外障子をクレセント錠で施錠するようにした引き違いサッシ窓が提案されている。
【先行技術文献】
【特許文献】
【０００３】
【特許文献１】特開２００６−２９１４６０号公報
【発明の概要】
【発明が解決しようとする課題】
【０００４】
前述したクレセント錠のクレセント受は、外障子の召合せ框の室内側面にねじで固着して取り付けると共に、そのクレセント受にカバーを設けてクレセント受を覆い、クレセント受が室内側から見えないようにしている。
前述した引き違いサッシ窓においては、内障子の召合せ框と外障子の召合せ框との間（召合せ部）を気密するために、内障子の召合せ框に召合せ気密材を設け、この召合せ気密材を外障子の召合せ框の室内側面に接しているが、その外障子の召合せ框の室内側面には前述のようにクレセント受が取り付けてあると共に、そのクレセント受にカバーを設けているので、そのクレセント受、カバーが、外障子の召合せ框の室内側面から突出して段差を有し、前述の召合せ気密材は外障子の召合せ框の室内側面とカバーとに亘って接することになる。
【０００５】
前述のようであるから、召合せ気密材が前述の段差部分に確実に接することがなく、召合せ部におけるクレセント受を取り付けた部分の気密性が低下してしまう。
【０００６】
本発明の目的は、召合せ部におけるクレセント受を取り付けた部分の気密性が低下することがない建具とすることである。
【課題を解決するための手段】
【０００７】
第１の発明は、内障子、外障子をクレセント錠で施錠、解錠する建具であって、
前記外障子の召合せ框は、その室内側面よりも室内側に突出した内側突起を有し、
前記内障子の召合せ框に設けた召合せ気密材を、前記内側突起の室内側面に接して内障子の召合せ框の室外側面と外障子の召合せ框の室内側面との間を気密し、
前記外障子の召合せ框の内側突起に、その長手方向の一部分を切り欠きした切欠き部を設け、
前記クレセント錠のクレセント受は、召合せ框に取り付ける取付部と、前記クレセント錠のクレセントが係合する係止部を有し、その取付部を、前記外障子の召合せ框の室内側面に取付用ねじで固着することで、その係止部が前記切欠き部を通して外障子の召合せ框よりも面内方向に突出するように取り付け、
前記外障子の召合せ框に、前記クレセント受を覆うカバーを取り付け、
このカバーの面内方向の一部分で前記内側突起の切欠き部を閉塞し、このカバーの面内方向の一部分と内側突起の室内側面とに亘って前記召合せ気密材が接するようにしたことを特徴とする建具である。
【０００８】
第１の発明は、前記クレセント受の板厚寸法は前記内側突起の突出寸法よりも小さく、
前記カバーの面内方向の一部分は、前記切欠き部に嵌まり合うと共に、前記クレセント受と対向し、かつその表面と内側突起の室内側面が面一となるようにし、
前記召合せ気密材が内側突起の室内側面とカバーの面内方向の一部分の表面に接するようにした建具とすることができる。
このようにすれば、内障子の召合せ框の室外側面と外障子の室内側面との間、つまり召合せ部におけるクレセント受を取り付けた部分の気密性を十分なものにできる。
【０００９】
第１の発明は、前記カバーは、クレセント受の取付部と取付用ねじを覆うと共に、召合せ框に取り付け、取り外しできるように取り付けてある建具とすることができる。
このようにすれば、クレセント受の取付部、取付用ねじが見えないので、召合せ框が樹脂製で、クレセント受が金属製で見栄えが異なる場合にも好ましい。
【００１０】
第１の発明は、前記外障子の召合せ框の室内側面の面内方向両側に内側突起、外側突起を備え、この各突起は相対向した取付用凹部をそれぞれ有し、
前記カバーは、クレセント受の取付部を覆うカバー部と、このカバー部の左右一側縁の上下に設けた取付片と、上下中間に設けた張出片と、前記カバー部の左右他側縁に設けた係合片を有し、
前記張出片が内側突起の切欠き部に嵌まり合うと共に、上下の取付片が内側突起の取付用凹部に挿入し、前記係合片が外側突起の取付用凹部に係合している建具とすることができる。
このようにすれば、カバー部を斜めの姿勢として上下の取付片を内側突起の取付用溝に挿入し、その状態でカバー部を押すことで係合片が外側突起の取付用凹部に係合することができ、カバーを簡単に取り付け、取り外しできる。
【００１１】
第１の発明は、前記カバーのカバー部の背面上下に、前記クレセント受の取付部の上下面に接する上突片、下突片を設けた建具とすることができる。
このようにすれば、上突片、下突片が取付部の上面、下面に接することで、カバーが上下に動くことがないように支持できる。
【００１２】
第２の発明は、内障子、外障子をクレセント錠で施錠、解錠する建具であって、
前記外障子の召合せ框に設けた召合せ気密材を、前記内障子の召合せ框の室外側面に接して内障子の召合せ框の室外側面と外障子の召合せ框の室内側面との間を気密し、
前記召合せ気密材に、その長手方向の一部分を切り欠きした切欠き部を設け、
前記クレセント錠のクレセント受は、召合せ框に取り付ける取付部と、前記クレセント錠のクレセントが係合する係止部を有し、その取付部を、前記外障子の召合せ框の室内側面に取付用ねじで固着することで、その係止部が前記切欠き部を通して外障子の召合せ框よりも面内方向に突出するように取り付け、
前記外障子の召合せ框に、前記クレセント受を覆うカバーを取り付け、
このカバーの面内方向の一部分に補助召合せ気密材を設け、この補助召合せ気密材で前記召合せ気密材の切欠き部を閉塞すると共に、その補助召合せ気密材が前記内障子の召合せ框の室外側面に接するようにしたことを特徴とする建具である。
【発明の効果】
【００１３】
第１の発明によれば、外障子の召合せ框の室内側面に取り付けたクレセント受の係止部が、内側突起の切欠き部から面内方向に突出し、そのクレセント受を覆うカバーの面内方向の一部分で前述の切欠き部を閉塞しているので、内障子の召合せ框に設けた召合せ気密材が前記内側突起の室内側面とカバーの面内方向の一部分の表面に接して気密する。
したがって、召合せ部におけるクレセント受を取り付けた部分の気密性が低下することがない。
しかも、クレセント受を覆うカバーを利用しているので、他の部品を取り付ける必要がなく、コスト安で、取り付け作業が面倒となることもない。
【００１４】
第２の発明によれば、外障子の召合せ框の室内側面に取り付けたクレセント受の係止部が、召合せ気密材の切欠き部から面内方向に突出し、そのクレセント受を覆うカバーの面内方向の一部分に設けた補助召合せ気密材で前述の切欠き部を閉塞し、その補助召合せ気密材が内障子の召合せ框の室外側面に接して気密する。
したがって、召合せ部におけるクレセント受を取り付けた部分の気密性が低下することがない。
しかも、クレセント受を覆うカバーを利用しているので、他の部品を取り付ける必要がなく、コスト安で、取り付け作業が面倒となることもない。
【図面の簡単な説明】
【００１５】
【図１】本発明の実施の形態を示す引き違いサッシ窓の概略内観図である。
【図２】図１のＡ−Ａ拡大詳細断面図である。
【図３】クレセント受を取り付けた部分の召合せ框の内観図である。
【図４】図３のＢ−Ｂ拡大断面図である。
【図５】図３のＣ−Ｃ拡大断面図である。
【図６】カバーの表面側斜視図である。
【図７】カバーの背面側斜視図である。
【図８】本発明の第２の実施の形態を示すクレセント受を取り付けた部分の召合せ框の内観図である。
【図９】図８のＤ−Ｄ拡大断面図である。
【図１０】カバーの表面側斜視図である。
【発明を実施するための形態】
【００１６】
図１に示すように、枠体１に内障子２と外障子３を面内方向に移動自在に装着して建具、例えば引き違いサッシ窓としてある。
前記枠体１は、上枠１０と下枠１１と左右の縦枠１２，１２で方形状である。
前記内障子２は、上框２０と下框２１と召合せ框２２と戸当り框２３を方形状に連結し、その内部にガラス等のパネル２４を取り付けてある。
この内障子２は、その上框２０、下框２１が前記上枠１０、下枠１１の面外方向の一側寄り、例えば室内側寄りに、閉じ位置と開き位置とに亘って面内方向に移動自在に設けてある。
前記外障子３は、上框３０と下框３１と召合せ框３２と戸当り框３３を方形状に連結し、その内部にガラス等のパネル３４を取り付けてある。
この外障子３は、その上框３０、下框３１が前記上枠１０、下枠１１の面外方向の他側寄り、例えば室外側寄りに、閉じ位置と開き位置とに亘って面内方向に移動自在に設けてある。
【００１７】
前記内障子２の召合せ框２２と外障子３の召合せ框３２とに亘ってクレセント錠４が取り付けてある。
このクレセント錠４は図２に示すように、内障子２の召合せ框２２に取り付けたクレセント５と、外障子３の召合せ框３２に取り付けたクレセント受６を備え、内障子２、外障子３を閉じ位置としてクレセント５をクレセント受６に係合することで内障子２と外障子３を施錠し、クレセント５をクレセント受６から離脱することで解錠する。
【００１８】
前記クレセント５は、取付座５ａに皿５ｂを回転自在に設けると共に、回転用のレバー５ｃを設けたもので、その取付座５ａが内障子２の召合せ框２２の面内方向の外側面２２ａに取り付けてある。
前記クレセント受６は、外障子３の召合せ框３２の室内側面３２ａに取付用ねじで固着して取り付けられ、前記皿５ｂが係合するフック６ａを有している。
そして、前記レバー５ｃを手で持って皿５ｂを回転することで、その皿５ｂをクレセント受６のフック６ａに係合することで内・外障子２，３を施錠し、その皿５ｂをフック６ａから離脱することで解錠する。
【００１９】
前記内障子２の召合せ框２２に召合せ気密材７が設けてある。この召合せ気密材７が外障子３の召合せ框３２の室内側面３２ａに接して、内障子２の召合せ框２２と外障子３の召合せ框３２との間、つまり召合せ部を気密している。
【００２０】
図２に示す実施の形態においては、前記外障子３の召合せ框３２は、その室内側面３２ａの面内方向内側端と面内方向外側端に内側突起３５と外側突起３６を有し、その各突起は室内側面３２ａよりも室内側（内障子２の召合せ框２２側）に向けて突出している。
前記内側突起３５の室内側面（突出面）３５ａが気密材接触面で、前記召合せ気密材７が接する。
前記外側突起３６の室内側面３６ａに召合せ気密材８が設けてあり、この召合せ気密材８が外側の召合せ気密材で、前述の召合せ気密材７が内側の召合せ気密材である。
【００２１】
前記内障子２の召合せ框２２の室外側面２２ｂの面内方向外側端と面内方向内側端に外側突起２５と内側突起２６を有し、その各突起は室外側面２２ｂよりも室外側（外障子の召合せ框３２側）に向けて突出している。
前記外側突起２５の室外側面２５ａに前述の内側の召合せ気密材７が設けてある。
この召合せ気密材７が前述の内側突起３５の室内側面３５ａに接すると共に、前記外側の召合せ気密材８が前記内側突起２６の室外側面２６ａに接することで、内障子２の召合せ框２２の室外側面２２ｂと外障子３の召合せ框３２の室内側面３２ａとの間（召合せ部）の面内方向の両側部を気密している。
【００２２】
前述の説明で、面内方向とは障子を開閉する方向で上枠１０、下枠１１の長手方向である。
そして、面内方向内側とは戸当り框２３，３３に向かう側で、内障子２の召合せ框２２では図２で右側で、外障子３の召合せ框３２では図２で左側である。
前記面内方向外側とは戸当り框２３，３３に向かう側と反対側で、内障子２の召合せ框２２では図２で左側で、外障子３の召合せ框３２では図２で右側である。
【００２３】
この実施の形態の各枠、各框は樹脂製、例えば樹脂押出形材で、図２に示すように各召合せ框２２，３２は中空部を有し、その中空部に金属製の芯材２２ｃ、３２ｂが嵌合してある。
前記召合せ気密材７，８は各突起に一体に設けてある。
【００２４】
次に、クレセント受６の取り付けを説明する。
前記クレセント受６は図３〜図５に示すように、取付部６０と係止部６１を有した板状で、その取付部６０にねじ挿通孔６２が形成してあると共に、係止部６１にフック６ａが形成してある。
前記外障子３の召合せ框３２の内側突起３５のクレセント受６を取り付ける部分を切欠き加工し、その切欠き部３７を通して、好ましくは嵌まり合うようにしてクレセント受６を召合せ框３２の室内側面３２ａに接し、取付部６０のねじ挿通孔６２から取付用ねじ６３を召合せ框３２（芯材３２ｂ）に螺合して取付部６０を召合せ框３２の室内側面３２ａに固着して取り付け、前記係止部６１を切欠き部３７を通して外障子３の召合せ框３２よりも面内方向の内側に向けて突出する。
【００２５】
前記クレセント受６の切欠き部３７に嵌まり合った部分６ｂの板厚寸法は、前記内側突起３５の突出寸法よりも小さく、その部分６ｂよりも内側突起３５の室内側面３５ａが室内側に突出して段差が生じ、内側突起３５の室内側面３５ａ（気密材接触面）がクレセント受６の取付部において不連続となる。
このために、内障子２の召合せ気密材７とクレセント受６の前述の部分６ｂとの間に隙間が生じるので、内障子２の召合せ框２２の室外側面２２ｂと外障子３の召合せ框３２の室内側面３２ａとの間（召合せ部）におけるクレセント受６を取り付けた部分の気密性が低下する。
【００２６】
そこで、本発明においては、召合せ框３２にカバー９を取り付け、このカバー９でクレセント受６の取付部６０を覆うと共に、そのカバー９の面内方向の一部分９ａを前記切欠き部３７に嵌め合わせてクレセント受６（取付部６０）の表面に接し、切欠き部３７を閉塞する。そのカバー９の面内方向の一部分９ａの表面（室内側面）を内側突起３５の室内側面３５ａと面一とし、前記内側突起３５の室内側面３５ａ（気密材接触面）を長手方向に亘って面一に連続するようにしてある。
前述の面一とは、２つの面が室内外側方向に同一の位置で、段差なく平坦面として連続することである。なお、面一とは全く同一の位置だけではなく、若干の位置ずれがある場合も含むこととする。つまり、召合せ気密材７が内側突起３５の室内側面３５ａとカバー９の面内方向の一部分９ａの表面に接するようにすれば良い。
【００２７】
このようであるから、内障子２の召合せ框２２に設けた召合せ気密材７は、内側突起３５の室内側面３５ａとカバー９の面内方向の一部分９ａの表面に接し、召合せ部のクレセント受を取り付けた部分の気密性が低下することがなく、召合せ部を確実に気密できる。
【００２８】
また、クレセント受６（取付部６０）を覆うカバー９を利用しているので、前述の切欠き部３７を閉塞するための特別の部品が不要で、部品点数が増えることがなく、コスト安であると共に、取り付け作業が面倒となることがない。
【００２９】
前記カバー９は内側突起３５と外側突起３６との間に押し込むことで係合して取り付けできるようにしてある。
例えば、図５に示すように内側突起３５と外側突起３６は相対向した取付用凹部３５ｂ，３６ｂを有している。
この実施の形態では、前記内側突起３５を面内方向の外側に向かう鉤形状とし、室内側面３２ａとで外向きの取付用凹部３５ｂを形成している。前記外側突起３６を面内方向の内側に向かう鉤形状として、室内側面３２ａとで内向きの取付用凹部３６ｂを形成している。
【００３０】
前記カバー９は、クレセント受６（取付部６０）を覆うカバー部９０の面内方向一側に一側取付片９１を有し、面内方向他側に係合片９２を有している。
そして、カバー部９０を面内方向に斜めの姿勢とし、その一側取付片９１を内側突起３５の取付用凹部３５ｂに挿入し、カバー部９０を召合せ框３２の室内側面３２ａに向けて押すことで、係合片９２を外側突起３６の取付用凹部３６ｂに係合してカバー９を召合せ框３２に取り付けている。
このようであるから、カバー９を召合せ框３２に簡単に取り付け、取り外しできる。
【００３１】
前記カバー９はクレセント受６（取付部６０）で上下に動かないように支持されている。
例えば、図３に示すようにカバー部９０の背面の上下に上突片９３と下突片９４を有し、その上突片９３が取付部６０の上面に接すると共に、下突片９５が取付部６０の下面に接して上下に動かないように支持される。
【００３２】
前記カバー９の具体形状を図６、図７に基づいて説明する。
前記カバー部９０は、矩形状のプレート９５と、その上横縁、下横縁に沿って左右方向に向けて一体的に設けられ、プレート９５の背面から突出した上横片９６、下横片９７を有し、その上横片９６の長手方向中間下面に前記上突片９３が一体に設けてあると共に、下横片９７の長手方向中間上面に前記下突片９４が一体に設けてある。
前記上横片９６と下横片９７の長手方向一側寄りに前記係合片９２がそれぞれ一体に設けてある。
前記上横片９６と下横片９７の長手方向他側寄りに前記取付片９１がそれぞれ一体に設けてある。
前記プレート９５の左右方向一側縁に張出片９８が一体に設けてある。
この張出片９８の表面はプレート９５の表面よりも背面寄りに位置がずれ、この張出片９８が前述のカバー９の面内方向の一部分９ａである。
前記上横片９６、下横片９７には手掛け用の凹部９６ａ，９７ａが形成してあり、カバー９を取り付け、取り外し操作し易くしてある。
前記カバー９は、上横片９６、下横片９７と取付片９１、係合片９２、上突片９３、下突片９４が召合せ框３２の室内側面３２ａに接して取り付けられ、そのプレート９５でクレセント受６（取付部６０）を覆うようにしてある。
【００３３】
この実施の形態では、カバー９で取付用ねじ６３を覆って見えないようにしてあるが、カバー９（カバー部９０のプレート９５）に図７に仮想線で示すように孔９９を形成し、この孔９９に取付用ねじ６３が臨むようにしても良い。
このようにすれば、カバー９を取り外しせずに孔９９から取付用ねじ６３を回転操作できるので、クレセント受６の取付位置の調整が容易にできる。
【００３４】
次に、本発明の第２の実施の形態を図８〜図１０に基づいて説明する。
この実施の形態は、前述の内障子２の召合せ框２２に設けた召合せ気密材７を外障子３の召合せ框３２に設け、カバー９の面内方向の一部分９ａに補助召合せ気密材７０を設けたことが前述の実施の形態と異なり、他の部分の構成は同様である。
前記召合せ気密材７を外障子３の召合せ框３２、例えば内側突起３５の室内側面３５ａに設け、この召合せ気密材７を内障子２の召合せ框２２の室外側面２２ｂ、例えば外側突起２５の室外側面２５ａに接して内障子２の召合せ框２２の室外側面２２ｂと外障子３の召合せ框３２の室内側面３２ａとの間（召合せ部）を気密する。
【００３５】
前記召合せ気密材７のクレセント受６と干渉する部分、例えば前記内側突起３５の切欠き部３７と対応した部分を切欠き、その切欠き部７ａからクレセント受６の係止部６１が、外障子３の召合せ框３２よりも面内方向に突出するようにする。
このようにすることで、前記召合せ気密材７がクレセント受６で押しつぶし変形されることがないので、その召合せ気密材７を室内側に向かう正しい姿勢に維持できる。つまり、召合せ気密材７がクレセント受６で押しつぶし変形されると、その押しつぶし変形された部分と連続した部分が変形して室内側に向かう正しい姿勢を維持できなくなる。
【００３６】
前記カバー９の面内方向の一部分９ａが、前記召合せ気密材７の切欠き部７ａに嵌まり合うようにし、その面内方向の一部分９ａに補助召合せ気密材７０を室内側に向けて設ける。
この補助召合せ気密材７０の上下部を召合せ気密材７の切欠き部７ａの上部、下部に接して切欠き部７ａを閉塞すると共に、この補助召合せ気密材７０が内障子２の召合せ框２２の室内側面２２ｂ、例えば外側突起２５の室外側面２５ａに接するようにする。
【００３７】
このようにすることで、内障子２の召合せ框２２の室外側面ン２２ｂと外障子３の召合せ框３２の室内側面３２ａとの間（召合せ部）におけるクレセント受６を取り付けた部分の気密性が低下することがない。
【００３８】
前述の各実施の形態では引き違いサッシ窓としたが、片引きサッシ窓、上げ下げ窓でも本発明のクレセント受の取り付けを実施できる。
例えば、前述の内障子２を固定して外障子３を移動自在として外動の片引きサッシ窓、外障子３を固定して内障子２を移動自在として内動の片引きサッシ窓に適用できる。
前述のように、内障子２又は外障子３を固定した場合には枠体１を障子の構成部材として利用するようにしても良い。
前述したいずれのサッシ窓であっても、障子をクレセント錠で施錠、解錠する建具であり、そのクレセント錠４のクレセント受６を外障子３の召合せ框３２に取り付ける。
【００３９】
前記カバー９は、取付用ねじ６３でクレセント受６とともに固着しても良いし、単独の取付用ねじで固着して取り付けても良い。
さらには、両面テープなどの接着剤を用いて取り付けるようにしても良い。
【符号の説明】
【００４０】
１…枠体、２…内障子、３…外障子、４…クレセント錠、５…クレセント、６…クレセント受、７…召合せ気密材、７ａ…切欠き部、９…カバー、９ａ…面内方向の一部分、２２…召合せ框、２２ｂ…室外側面、２５…外側突起、３２…召合せ框、３２ａ…室内側面、３５…内側突起、３５ｂ…取付用凹部、３６…外側突起、３６ｂ…取付用凹部、３７…切欠き部、６０…取付部、６１…係止部、６３…取付用ねじ、７０…補助召合せ気密材、９０…カバー部、９１…取付片、９２…係合片、９３…上突片、９４…下突片。
【図１】
0005574371.tif 000002
【図２】
0005574371.tif 000003
【図３】
0005574371.tif 000004
【図４】
0005574371.tif 000005
【図５】
0005574371.tif 000006
【図６】
0005574371.tif 000007
【図７】
0005574371.tif 000008
【図８】
0005574371.tif 000009
【図９】
0005574371.tif 000010
【図１０】
0005574371.tif 000011